(57)【要約】【課題】デジタル地上放送の受信信号をアナログテレビ信号に変換して端末側に伝送するテレビ受信システムを、簡単且つ低コストで実現できるようにする。【解決手段】ＶＨＦ、ＵＨＦ、ＢＳの受信信号をテレビ端子１５〜１８まで伝送するシステムにおいて、一つのテレビ端子１８に放送信号変換装置３０を設ける。この装置３０は、受信信号に含まれるデジタル地上放送信号を選局・復調し、復調した映像・音声信号から受信信号とは異なる放送チャンネル（ＵＨＦ）のアナログテレビ信号を生成し、テレビ端子１８から受信設備２０へと送出する。受信設備２０側の伝送経路上には、チャンネルトラップ４０を設け、テレビ端子１８から伝送されてきたテレビ信号を他のテレビ端子１５〜１７へと反射させる。また、ＵＨＦアンテナ５，６から受信増幅器１２に至る経路には、アナログテレビ信号の通過を阻止するバンドエリミネータ５０を設ける。【選択図】図１
2007215036.tif 000002
【特許請求の範囲】
【請求項１】
アナログ地上放送とデジタル地上放送とを含む複数のテレビ放送信号を受信する１又は複数の受信アンテナと、該受信アンテナからの受信信号を増幅する受信増幅器とを備え、該増幅後の受信信号を伝送線を介して建造物内の複数の端末端子まで伝送するテレビ受信システムにおいて、
前記複数の端末端子の一つに接続され、前記伝送線を介して伝送されてきた受信信号の中からデジタル地上放送のテレビ放送信号を選局・復調して映像信号及び音声信号を生成するデジタルチューナと、
該デジタルチューナにて生成された映像信号及び音声信号から、前記受信信号とは異なる放送チャンネルのアナログテレビ信号を生成する変調器と、
該変調器にて生成されたアナログテレビ信号を増幅して、前記複数の端末端子の一つに入力することにより、該アナログテレビ信号を前記伝送線を介して前記受信アンテナ側へと伝送させるテレビ信号増幅器と、
前記受信増幅器側の伝送線上に設けられ、前記変調器にて生成されたアナログテレビ信号の通過を阻止して端末側に反射させる反射手段と、
前記受信アンテナから前記受信増幅器に至る受信信号の伝送経路上に設けられ、前記アナログテレビ放送信号の通過を阻止して、前記受信アンテナから該アナログテレビ放送信号が放射されるのを防止するフィルタ手段と、
を備えたことを特徴とするテレビ受信システム。
【請求項２】
前記反射手段は、トラップであることを特徴とする請求項１に記載のテレビ受信システム。
【請求項３】
前記フィルタ手段は、バンドエリミネータであることを特徴とする請求項１又は請求項２に記載のテレビ受信システム。
【発明の詳細な説明】
【技術分野】
【０００１】
本発明は、アナログ地上放送とデジタル地上放送とを含む複数のテレビ放送信号を受信し、その受信信号を伝送線を介して建造物内の複数の端末端子まで伝送するテレビ受信システムに関する。
【背景技術】
【０００２】
従来より、アナログ地上放送とデジタル地上放送とを含む複数のテレビ放送信号を受信し、その受信信号を伝送線を介して建造物内の複数の端末端子まで伝送するテレビ受信システムにおいて、端末側でアナログ地上放送とデジタル地上放送とを視聴できるようにするには、各端末端子に、アナログ地上放送の受信・復調が可能なアナログチューナ（若しくはこのチューナを内蔵したテレビ受像機）に加えて、デジタル地上放送の受信・復調が可能なデジタルチューナ（若しくはこのチューナを内蔵したテレビ受像機）を接続しなければならず、端末側に設置するテレビ受信装置のコストアップを招くという問題があった。
【０００３】
そこで、こうした問題を防止するために、従来より、受信アンテナにて受信されたデジタル地上放送のテレビ放送信号を、デジタルチューナを用いて受信・復調することにより、映像信号及び音声信号を生成し、次に、この映像信号及び音声信号を変調器に入力することで、これら各信号から、受信アンテナにて受信されるテレビ放送信号とは異なる放送チャンネルのアナログテレビ信号を生成し、更に、その生成したアナログテレビ信号を他の受信信号（アナログ放送信号）と混合して、増幅器にて増幅した後、伝送線を介して端末側に伝送することが提案されている（例えば、特許文献１等参照）。
【特許文献１】特開２００３−２２４７８０号公報
【発明の開示】
【発明が解決しようとする課題】
【０００４】
しかしながら、上記提案のテレビ受信システムでは、デジタル地上放送のテレビ放送信号を、受信アンテナ直下で、アナログテレビ信号に変換して、他のテレビ放送信号（アナログ放送信号）と混合する必要があるため、端末側では、アナログチューナ（若しくはこのチューナを内蔵したテレビ受像機）を用いて、デジタル地上放送を視聴することができるものの、アナログ地上放送を受信するように構成された既存のテレビ受信システムを、上記提案のテレビ受信システムに変更するのは難しいという問題があった。
【０００５】
つまり、上記提案のテレビ受信システムでは、デジタルチューナ、変調器、混合器等を、全て、受信アンテナ付近の屋上や屋根裏等に設置しなければならず、既存のテレビ受信システムを改修して上記提案のテレビ受信システムを構築するには、その設置場所を確保したり、電源供給経路を確保するための工事を行わなければならず、場合によっては、その工事を行うことができない、といった問題があるのである。
【０００６】
また、このようにデジタルチューナや変調器を受信アンテナ付近に設置することができない場合には、例えば、図２に示すように、デジタル地上放送受信用のＵＨＦアンテナ５０と混合器５６とを、既存の受信設備付近（例えば、受信設備が固定された支柱等）に設置し、デジタルチューナ５２と変調器５４とは、テレビ受像機等が設けられる建造物内の部屋に設置することも考えられる。
【０００７】
しかし、このようにすると、ＵＨＦアンテナ５０からの受信信号をデジタルチューナ５２まで伝送する伝送線や、変調器５４にて生成されたアナログテレビ信号を混合器５６まで伝送するための伝送線を、新たに配線しなければならず、建造物の壁には、これらの伝送線をデジタルチューナ５２及び変調器５４が設置された部屋に引き込むための孔を穿設しなければならないことから、伝送線を配線するための工事が煩雑になるという問題がある。
【０００８】
本発明は、こうした問題に鑑みなされたものであり、アナログ地上放送とデジタル地上放送とを含む複数のテレビ放送信号を受信する受信アンテナを備えたテレビ受信システムにおいて、デジタル地上放送の受信信号をアナログテレビ信号に変換して各端末側に伝送することができ、しかも、その変換のための機器を、大きな工事を行うことなく簡単に設置できるようにすることを目的とする。
【課題を解決するための手段】
【０００９】
かかる目的を達成するためになされた請求項１に記載の発明は、アナログ地上放送とデジタル地上放送とを含む複数のテレビ放送信号を受信する１又は複数の受信アンテナと、該受信アンテナからの受信信号を増幅する受信増幅器とを備え、該増幅後の受信信号を伝送線を介して建造物内の複数の端末端子まで伝送するテレビ受信システムにおいて、
前記複数の端末端子の一つに接続され、前記伝送線を介して伝送されてきた受信信号の中からデジタル地上放送のテレビ放送信号を選局・復調して映像信号及び音声信号を生成するデジタルチューナと、
該デジタルチューナにて生成された映像信号及び音声信号から、前記受信信号とは異なる放送チャンネルのアナログテレビ信号を生成する変調器と、
該変調器にて生成されたアナログテレビ信号を増幅して、前記複数の端末端子の一つに入力することにより、該アナログテレビ信号を前記伝送線を介して前記受信アンテナ側へと伝送させるテレビ信号増幅器と、
前記受信増幅器側の伝送線上に設けられ、前記変調器にて生成されたアナログテレビ信号の通過を阻止して端末側に反射させる反射手段と、
前記受信アンテナから前記受信増幅器に至る受信信号の伝送経路上に設けられ、前記アナログテレビ放送信号の通過を阻止して、前記受信アンテナから該アナログテレビ放送信号が放射されるのを防止するフィルタ手段と、
を備えたことを特徴とする。
【００１０】
また、請求項２に記載の発明は、請求項１に記載のテレビ受信システムにおいて、反射手段はトラップであることを特徴とする。
また、請求項３に記載の発明は、請求項１又は請求項２に記載のテレビテレビ受信システムにおいて、フィルタ手段はバンドエリミネータであることを特徴とする。
【発明の効果】
【００１１】
請求項１に記載のテレビ受信システムにおいては、１又は複数の受信アンテナを介して、アナログ地上放送とデジタル地上放送とを含む複数のテレビ放送信号を受信し、その受信信号を、受信増幅器にて増幅した後、建造物内の複数の端末端子まで伝送する。そして、このように端末側に伝送されるデジタル地上放送のテレビ放送信号は、その複数の端末端子の一つに接続されたデジタルチューナにより選局・復調されることにより、映像信号及び音声信号に変換され、更に、変調器にて、受信信号とは異なる放送チャンネルのアナログテレビ信号に変換される。
【００１２】
また、このように生成されたアナログテレビ信号は、テレビ信号増幅器にて増幅された後、複数の端末端子の一つに入力されることから、そのアナログテレビ信号は、伝送線を介して、受信増幅器側へと伝送されることになる。
【００１３】
そして、受信増幅器側の伝送線上には、変調器にて生成されたアナログテレビ信号の通過を阻止して端末側に反射させる反射手段が設けられていることから、伝送線を介して受信増幅器側へと伝送されたアナログテレビ信号は、この反射手段にて反射されて、端末側へと伝送される。
【００１４】
このため、本発明のテレビ受信システムによれば、信号変換用のデジタルチューナやテレビ信号増幅器が接続された端末端子以外の端末端子には、アナログチューナ（若しくはアナログチューナを含むテレビ受像機や録画装置）を接続するだけで、アナログ地上放送とデジタル地上放送との両方を視聴できるようになる。
【００１５】
そして、本発明によれば、アナログチューナ（若しくはアナログチューナを含むテレビ受像機）を利用してアナログ地上放送とデジタル地上放送との両方を視聴できるようにするために、従来のように、デジタル地上放送のテレビ放送信号をアナログテレビ信号に変換するための装置（つまり、デジタルチューナや変調器）を、受信アンテナ付近の屋上や天井裏等に設置する必要がないことから、上述した従来のテレビ受信システムに比べて、簡単且つ低コストで実現できるようになる。
【００１６】
ところで、本発明のように、端末側から受信増幅器側にアナログテレビ信号を伝送するようにすると、反射手段や受信増幅器の特性によっては、アナログテレビ信号の一部が、反射手段及び受信増幅器を通って、受信アンテナ側へと伝送されることも考えられる。
【００１７】
そして、このようにアナログテレビ信号が受信アンテナまで伝送されると、受信アンテナから、アナログテレビ信号に対応した放送電波が放射され、その放送電波が周囲の通信機器に悪影響を及ぼすことがある。
【００１８】
しかし、本発明のテレビ受信システムでは、受信アンテナから受信増幅器に至る受信信号の伝送経路上に、端末側から伝送されてくるアナログテレビ信号の通過を阻止するフィルタ手段が設けられることから、アナログテレビ信号の一部が反射手段及び受信増幅器を通過したとしても、フィルタ手段によって、アナログテレビ信号が受信アンテナまで伝送されるのを防止することができる。よって、本発明のテレビ受信システムによれば、受信アンテナからアナログテレビ信号に対応した放送電波が放射されて、周囲の通信機器に悪影響を及ぼすのを防止することができる。
【００１９】
なお、本発明のテレビ受信システムにおいては、請求項２に記載のように、反射手段として、トラップを使用するようにすれば、アナログテレビ信号を簡単な構成で効率よく反射させることができる。
【００２０】
また、請求項３に記載のように、フィルタ手段として、バンドエリミネータを使用するようにすれば、反射手段や受信増幅器を通過したアナログテレビ信号が受信アンテナ側に伝送されるのを防止できるだけでなく、アナログテレビ信号が受信増幅器側に反射されるのを防止することができる。
【発明を実施するための最良の形態】
【００２１】
以下に本発明の実施形態を図面と共に説明する。
図１は本発明が適用された実施形態のテレビ受信システムの構成を表す構成図である。
本実施形態のテレビ受信システムは、所謂ホーム共同受信を行うためのものであり、地上放送や衛星放送の各種テレビ放送信号を受信するために、住宅の屋根上に支柱２を介して設置された受信設備２０を備える。
【００２２】
この受信設備２０には、ＶＨＦ帯のアナログ地上放送電波を受信するＶＨＦアンテナ４と、ＵＨＦ帯のアナログ地上放送電波を受信するＵＨＦアンテナ５と、ＵＨＦ帯のデジタル地上放送電波を受信するＵＨＦアンテナ６と、放送衛星（ＢＳ）を介して配信される衛星放送電波を受信するＢＳアンテナ８と、ＵＨＦアンテナ５、６からの受信信号を混合する混合器１０と、混合器１０から出力されるＵＨＦ帯の受信信号、ＶＨＦアンテナ４から出力されるＶＨＦ帯の受信信号、及び、ＢＳアンテナ８から出力される衛星放送の受信信号（具体的にはＢＳアンテナ８のコンバータにてダウンコンバートされた中間周波信号：ＢＳ−ＩＦ信号）をそれぞれ所定レベルまで増幅し、これら各信号を混合して出力する受信増幅器１２と、が備えられている。
【００２３】
なお、本実施形態では、ＵＨＦアンテナとして、アナログ地上放送受信用のＵＨＦアンテナ５と、デジタル地上放送受信用のＵＨＦアンテナ６とが設けられているが、これは、受信点から見て、デジタル地上放送の送信局とアナログ地上放送の送信局とが異なる方向にあるためであり、ＵＨＦ帯のアナログ地上放送とデジタル地上放送とが受信点から見て同方向に位置する送信局から送信される場合には、ＵＨＦアンテナは一つでよい。
【００２４】
そして、受信増幅器１２から出力される受信信号は、伝送線である同軸ケーブルを介して、住宅内に引き込まれ、分配器１４にて複数系統（図では４系統）に分配された後、各部屋に設置されたテレビ端子（端末端子）１５，１６，１７，１８までそれぞれ伝送される。
【００２５】
テレビ端子１５〜１８は、各部屋に設置されたテレビ受像機２４や、ハードディスク・ＤＶＤレコーダ（ＨＤＤＶＤ）２５，ビデオテープレコーダ（ＶＴＲ）２６等のテレビチューナ内蔵型録画装置に受信信号を配信するためのものであり、これら各種受信装置のアンテナ入力端子に同軸ケーブルを介して接続するためのコネクタを備えている。
【００２６】
そして、本実施形態では、テレビ端子１５，１６には、コネクタを一つ備えたものが使用され、テレビ端子１７，１８には、コネクタを二つ備えたものが使用されており、例えば、二つのコネクタを備えたテレビ端子１７には、次のように受信装置が接続されている。
【００２７】
すなわち、テレビ端子１７の一方のコネクタ１７ａには、受信信号をＶＨＦ・ＵＨＦ帯の信号とＢＳ−ＩＦ信号とに分離するための分波器２８が接続されており、この分波器２８にて分波されたＶＨＦ・ＵＨＦ帯の信号とＢＳ−ＩＦ信号とを、ＶＴＲ２６のＶＨＦ・ＵＨＦアンテナ入力端子及びＢＳアンテナ入力端子に入力するようにされている。
【００２８】
また、テレビ端子１７のもう一つのコネクタ１７ｂには、受信設備２０からコネクタ１７ｂに至る受信信号の伝送路（同軸ケーブルと分配器１４等の伝送機器）を介して、屋根上に設置された受信増幅器１２とＢＳアンテナ８の受信部（コンバータ）に電源電圧（直流電圧信号）を供給するための電源装置（ＰＳ）２９が接続されている。
【００２９】
そして、このコネクタ１７ｂまで伝送されてきた受信信号は、電源装置２９を介して分配器２７に入力され、分配器２７（詳しくは２分配器）にて２系統に分配されてテレビ受像機２４及びＨＤＤＶＤ２５のアンテナ入力端子に入力される。なお、分配器１７とテレビ受像機２４との間には、ＶＴＲ２６への受信信号の入力経路と同様に、分波器２８が接続されており、この分波器２８にて分波されたＶＨＦ・ＵＨＦ帯の信号とＢＳ−ＩＦ信号とが、テレビ受像機２４のＶＨＦ・ＵＨＦアンテナ入力端子及びＢＳアンテナ入力端子にそれぞれ入力される。
【００３０】
次に、二つのコネクタを備えたもう一つのテレビ端子１８には、放送信号変換装置３０が接続されている。
この放送信号変換装置３０は、デジタル地上放送のテレビ放送信号を、受信信号に含まれるテレビ放送信号とは異なる放送チャンネルのアナログテレビ信号（ＶＨＦ帯又はＵＨＦ帯のテレビ信号）に変換して、受信設備２０側に送出するためのものであり、テレビ端子１８の一方のコネクタ１８ａに入力端子が接続された分配器（詳しくは２分配器）３２と、この分配器３２の一方の分配出力端子に接続され、この分配器３２を介して入力される受信信号の中からデジタル地上放送を選局して、映像信号及び音声信号を復元するデジタルチューナ３４と、このデジタルチューナ３４にて復元された映像信号及び音声信号から、受信信号に含まれるテレビ放送信号とは異なる放送チャンネルのアナログテレビ信号（ＵＨＦ帯のテレビ信号）を生成する変調器３６と、この変調器３６にて生成されたアナログテレビ信号を増幅して、テレビ端子１８の他方のコネクタ１８ｂに入力することにより、アナログテレビ信号を同軸ケーブルを介して受信設備２０側へと伝送させるテレビ信号増幅器３８と、から構成されている。
【００３１】
なお、分配器３２のもう一方の分配出力端子には、テレビ放送を視聴するためのテレビ受像機２４が接続されている。
次に、放送信号変換装置３０にて生成され、テレビ端子１８のコネクタ１８ｂに入力されたアナログテレビ信号は、同軸ケーブルを介して、分配器１４の一つの分配出力端子まで伝送されるが、分配器１８の各分配出力端子間には端子間阻止量があるため、テレビ端子１８から分配器１４まで伝送されたアナログテレビ信号は、分配器１４の他の分配出力端子からテレビ端子１５〜１７へと直接出力することができない。
【００３２】
そこで、受信増幅器１２から分配器１４の入力端子に至る同軸ケーブル上には、放送信号変換装置３０から伝送されてくるアナログテレビ信号の通過を阻止して端末側に反射させるチャンネルトラップ４０が設けられている。
【００３３】
このため、本実施形態によれば、放送信号変換装置３０にて生成されてテレビ端子１８からチャンネルトラップ４０まで伝送されてきたアナログテレビ信号は、チャンネルトラップ４０に反射されて、分配器１４から他のテレビ端子１５〜１７へと伝送されることになる。従って、各テレビ端子１５〜１７側では、アナログチューナを内蔵した録画装置（ＨＤＤＶＤ２５、ＶＴＲ２６）やテレビ受像機２４を接続するだけで、アナログ地上放送とデジタル地上放送との両方を視聴することができるようになる。
【００３４】
また、このようにチャンネルトラップ４０を設けた場合、アナログテレビ信号はチャンネルトラップ４０で反射されることになるが、チャンネルトラップ４０の特性によっては、アナログテレビ信号の一部が受信設備２０側に伝送されてしまい、受信設備２０内の受信増幅器１２を通って、ＵＨＦアンテナ５，６まで伝送され、ＵＨＦアンテナ５、６から放射されることも考えられる。
【００３５】
そこで、ＵＨＦアンテナ５、６からの受信信号を混合する混合器１０と受信増幅器１２との間の伝送経路上には、放送信号変換装置３０にて生成されたアナログテレビ信号の通過を阻止するバンドエリミネータ（ＢＥＦ）５０が設けられている。
【００３６】
従って、本実施形態では、放送信号変換装置３０にて生成されたアナログテレビ信号の一部がチャンネルトラップ４０を通過して受信増幅器１２に入力されたとしても、アナログテレビ信号がＵＨＦアンテナ５、６まで伝送されてこれら各アンテナ５、６から周囲に放射されるのを防止することができる。
【００３７】
一方、チャンネルトラップ４０の入・出力端子間や、分配器１４におけるテレビ端子１７側の分配出力端子と受信設備２０側の入力端子との間、或いは、受信増幅器１２における出力端子とＢＳアンテナ８側の入力端子との間には、テレビ放送信号に比べて充分周波数が低い低周波信号や直流信号を通過させる信号通過回路が内蔵されている。
【００３８】
このため、電源装置（ＰＳ）２９にて生成された電源電圧（直流電圧信号）は、テレビ端子１７から分配器１４及びチャンネルトラップ４０を介して受信増幅器１２に供給され、更に受信増幅器１２を介してＢＳアンテナ８の受信部（コンバータ）にも供給されることになる。
【００３９】
また、ＢＳアンテナ８の替わりに、ＣＳアンテナ若しくはＢＳ・ＣＳアンテナを受信設備２０に設置した場合には、テレビ端子１７から分配器１４、チャンネルトラップ４０、受信増幅器１２を介して、これら各アンテナの受信部に、偏波切換信号や衛星切換信号を供給することもできる。
【００４０】
以上説明したように、本実施形態のテレビ受信システムにおいては、複数のテレビ端子１５〜１８の一つに、デジタル地上放送のテレビ放送信号からアナログテレビ信号を生成する放送信号変換装置３０を接続し、この放送信号変換装置３０にて生成したアナログテレビ信号を、テレビ端子１８から受信設備２０側へと送出し、更に、受信設備２０から分配器１４に至る同軸ケーブル上に設けられたチャンネルトラップ４０にて反射することにより、他のテレビ端子１５〜１７へと伝送するようにされている。
【００４１】
このため、本実施形態によれば、従来のように放送信号変換用の装置（デジタルチューナや変調器）を受信アンテナ付近の屋上や天井裏に設置したり、新たにケーブル配線工事を行うことなく、アナログ放送受信用のテレビ受信装置を利用してアナログ地上放送とデジタル地上放送との両方を視聴し得るテレビ受信システムを構築することができるように成り、このシステムを、簡単且つ低コストで実現できるようになる。
【００４２】
また、本実施形態において、放送信号変換装置３０を構成しているデジタルチューナ３４、変調器３６、テレビ信号増幅器３８には、一般に市販されている（換言すれば特別な仕様で製造されていない）ものを使用できることから、放送信号変換装置３０のコストを抑え、システムの構築に要する費用を低減できる。
【００４３】
また、本実施形態のテレビ受信システムにおいては、ＵＨＦアンテナ５、６からの受信信号を混合する混合器１０と受信増幅器１２との間にバンドエリミネータ（ＢＥＦ）５０を設けて、放送信号変換装置３０にて生成されたアナログテレビ信号が通過するのを阻止するようにしていることから、アナログテレビ信号がＵＨＦアンテナ５、６まで伝送されて各アンテナ５、６から周囲に放射され、周囲の通信機器に悪影響を及ぼすのを防止することができる。
【００４４】
なお、本実施形態においては、チャンネルトラップ４０が本発明の反射手段に相当し、バンドエリミネータ（ＢＥＦ）５０が本発明のフィルタ手段に相当する。
以上、本発明の一実施形態について説明したが、本発明は上記実施形態に限定されるものではなく、本発明の要旨を逸脱しない範囲内にて、種々の態様を採ることができる。
【００４５】
例えば、上記実施形態では、放送信号変換装置３０において、同軸ケーブルからの受信信号の取り込み、及び、アナログテレビ信号の同軸ケーブルへの送出を行うために、二つのコネクタ１８ａ、１８ｂを備えたテレビ端子１８を用いるものとして説明したが、テレビ端子１８に一つのコネクタしか設けられていない場合には、分配器や分岐器等を利用して、その一つのコネクタから受信信号の取り込み、及び、アナログテレビ信号の出力を行うようにしてもよい。
【００４６】
また、上記実施形態では、受信増幅器１２からの受信信号やチャンネルトラップ４０にて反射されたアナログテレビ信号を分配器１４にて分配し、その分配された信号を各テレビ端子１５〜１８まで伝送するものとして説明したが、分配器１４に替えて分岐器を使用してもよく、また、テレビ端子１５、１６に分岐器からなる直列ユニットを使用して、これら各直列ユニットからテレビ端子１７，１８に信号を伝送するようにしてもよい。
【００４７】
また次に、上記実施形態では、反射手段としてこのチャンネルトラップ４０を利用したが、反射手段としては、チャンネルトラップまたはトラップと同じ作用が得られれば、これに限定されるものではない。また、チャンネルトラップ４０は、放送信号変換装置３０から伝送されてくるアナログテレビ信号の全周波数帯域を反射するようにしても良いし、テレビ端子１５〜１７に接続される受信装置側でアナログテレビ信号を受信・復調できる範囲でアナログテレビ信号の一部の周波数帯域を反射するようにしてもよい。
【００４８】
また、上記実施形態では、放送信号変換装置３０において、変調器２６にて生成されたアナログテレビ信号は、テレビ信号増幅器３８にて増幅するものとして説明したが、チャンネルトラップ４０で反射されてテレビ端末１５〜１７に伝送されたアナログテレビ信号の信号レベルが受信装置にて受信・復調可能な最低信号レベル以上となる場合には、テレビ信号増幅器３８を省略してもよい。
【００４９】
また、上記実施形態において、放送信号変換装置３０は、デジタル地上放送のテレビ放送信号からＵＨＦ帯のアナログテレビ信号を生成するものとして説明したが、放送信号変換装置３０では、ＶＨＦ帯のアナログテレビ信号を生成するようにしてもよい。そして、この場合には、アナログテレビ信号がＶＨＦアンテナ４から放射されることのないよう、このアナログテレビ信号の通過を阻止するためのバンドエリミネータ５０（フィルタ手段）を、ＶＨＦアンテナ４と受信増幅器１２との間の伝送経路上に設けるようにすればよい。
【図面の簡単な説明】
【００５０】
【図１】実施形態のテレビ受信システムの構成を表す構成図である。
【図２】従来のテレビ受信システム及びその問題点を説明する説明図である。
【符号の説明】
【００５１】
２…支柱、４…ＶＨＦアンテナ、５，６…ＵＨＦアンテナ、８…ＢＳアンテナ、１０…混合器、１２…受信増幅器、１４…分配器、１５〜１８…テレビ端子、２０…受信設備、２４…テレビ受像機、２５…ＨＤＤＶＤ、２６…ＶＴＲ、２８…分波器、２９…電源装置、３０…放送信号変換装置、３２…分配器、３４…デジタルチューナ、３６…変調器、３８…テレビ信号増幅器、４０…チャンネルトラップ、５０…バンドエリミネータ。
【図１】
2007215036.tif 000003
【図２】
2007215036.tif 000004